(57)【特許請求の範囲】
【請求項１】
装着した際に装着者の手の甲側を覆う手甲側被覆部を備える手袋であって、
前記手甲側被覆部は、手甲側被覆本体部と、前記手甲側被覆本体部に接続され第１方向に装着者の手を締め付け可能な第１固定部と、前記手甲側被覆本体部に接続され前記第１方向とは異なる第２方向に装着者の手を締め付け可能な第２固定部とを含み、
前記手甲側被覆部には、前記第２固定部を挿通可能な開口部を有し、かつ前記第１固定部に接続された開口部材が固定されている、手袋。
【請求項２】
前記手甲側被覆部は、装着者の手の甲側から人差指を覆う手甲側人差指部と、装着者の手の甲側から小指を覆う手甲側小指部と、装着者の手の甲側から中指を覆う手甲側中指部と、装着者の手の甲側から親指を覆う手甲側親指部とを含み、
前記第１方向は、前記手甲側人差指部の付け根から前記手甲側被覆部の前記手甲側小指部側の側面に向けた、前記手甲側中指部の延びる方向に対して斜めの方向であり、
前記第２方向は、前記手甲側親指部の付け根から前記手甲側小指部の付け根に向けた、前記手甲側中指部の延びる方向に対して斜めの方向である、請求項１に記載の手袋。
【請求項３】
前記手甲側被覆本体部は、装着者の手首側を覆う手首側領域の配置される側において、前記手甲側小指部側に配置される第１本体部と、前記第１本体部に隣接し前記手甲側親指部側に配置される第２本体部とにスリット部を介して分離され、
前記開口部材は、前記第１固定部において前記スリット部に対向する端部に固定されている、請求項２に記載の手袋。
【請求項４】
前記第２固定部は前記第２本体部に一方端が接続され前記第２方向に延びる長尺形状を有し、
前記第２固定部は、前記開口部材を挿通する箇所にて延在方向が折り返された状態で前記一方端と反対側の他方端が前記第２本体部に着脱可能になっている、請求項３に記載の手袋。
【請求項５】
前記第１固定部は前記第２本体部に接続され前記第１方向に延び、
前記第１固定部は前記第１方向に引っ張られるように装着者の手を締め付けた状態で前記第１本体部に着脱可能になっている、請求項３または４に記載の手袋。
【請求項６】
前記開口部材は環状形状を有している、請求項１〜５のいずれか１項に記載の手袋。
【発明の詳細な説明】
【技術分野】
【０００１】
本発明は手袋に関し、特にゴルフなどのスポーツ用の手袋に関するものである。
【背景技術】
【０００２】
スポーツ、特にゴルフ用の手袋は、装着者に対して快適なフィット感を与えることが要求され、そのためにベルトなどの固定部が用いられることが好ましい。このような特徴を有する手袋が、たとえば特開平６−１２１８５９号公報（特許文献１）および特開２０１１−１０６０４０号公報（特許文献２）に開示されている。これらの手袋においては、装着者の手の甲側を覆う部分に環状部材とベルトとが配置されている。ベルトが環状部材に挿通されてその環状部材の部分にてベルトの延在方向が変更される。これにより当該ベルトが装着者の手を締め付け可能となっている。
【先行技術文献】
【特許文献】
【０００３】
【特許文献１】特開平６−１２１８５９号公報
【特許文献２】特開２０１１−１０６０４０号公報
【発明の概要】
【発明が解決しようとする課題】
【０００４】
特開平６−１２１８５９号公報および特開２０１１−１０６０４０号公報の手袋においては、固定部としてのベルトが１本のみ含まれている。このベルトが環状部材に挿通された状態において、たとえばベルトの一方端から他方端側へ引っ張り力を加えれば、ベルトの一方端から環状部材までの部分に加わる力と、環状部材から他方端までの部分に加わる力との大きさは等しくなり、これらの大きさを個別に制御することができない。このため装着時のフィット感を向上させることが困難となる可能性がある。
【０００５】
本発明は以上の問題に鑑みてなされたものであり、その目的は、ゴルフなどのスポーツ用であり、装着者へのフィット感をより向上させることが可能な手袋を提供することである。
【課題を解決するための手段】
【０００６】
本発明に係る手袋は、装着した際に装着者の手の甲側を覆う手甲側被覆部を備える。手甲側被覆部は、手甲側被覆本体部と、手甲側被覆本体部に接続され第１方向に装着者の手を締め付け可能な第１固定部と、手甲側被覆本体部に接続され第１方向とは異なる第２方向に装着者の手を締め付け可能な第２固定部とを含む。手甲側被覆部には、第２固定部を挿通可能な開口部を有し、かつ第１固定部に接続された開口部材が固定されている。
【発明の効果】
【０００７】
本発明の手袋は、開口部材が第１固定部に接続され、かつ第２固定部を挿通可能である。このため開口部材を介して、第１および第２の固定部が互いに接続された状態となる。さらに、第１固定部と第２固定部との締め付け力を個別に制御可能である。したがって当該手袋は装着者へのフィット感をより向上させることができる。
【図面の簡単な説明】
【０００８】
【図１】実施の形態に係る手袋の手甲側被覆部の構成を示す概略図である。
【図２】図１中の点線で囲まれた領域ＩＩの概略拡大図である。
【図３】第１固定部を開いた状態における、図１の手袋の手甲側被覆部の構成を示す概略図である。
【図４】第２固定部を開いた状態における、図１の手袋の手甲側被覆部の構成を示す概略図である。
【発明を実施するための形態】
【０００９】
以下、本発明の実施の形態について図に基づいて説明する。
＜手袋の構成＞
まず本実施の形態の手袋の構成について図１〜図４を用いて説明する。
【００１０】
図１を参照して、本実施の形態の手袋１００は通常ゴルフ競技に用いるものであり、手甲側被覆部２を備えている。手甲側被覆部２は、当該手袋１００のうち、これを装着した装着者の手の甲側を覆う領域である。図１は主に手甲側被覆部２の構成を示している。手甲側被覆部２は、基本的にはたとえば人工皮革や合成皮革、天然皮革、合成繊維などにより形成されている。
【００１１】
手袋１００は、これを装着した装着者の各指を収納する５つの指袋を有している。具体的には、手袋１００は、装着者の親指を収納する親指袋ｆ１と、装着者の人差指を収納する人差指袋ｆ２と、装着者の中指を収納する中指袋ｆ３と、装着者の薬指を収納する薬指袋ｆ４と、装着者の小指を収納する小指袋ｆ５とを有している。
【００１２】
親指袋ｆ１は、収納した親指を装着者の手の甲側から覆う手甲側親指部２１を含んでいる。以下同様に、人差指袋ｆ２は、収納した人差指を装着者の手の甲側から覆う手甲側人差指部２２を含んでいる。中指袋ｆ３は、収納した中指を装着者の手の甲側から覆う手甲側中指部２３を含んでいる。薬指袋ｆ４は、収納した薬指を装着者の手の甲側から覆う手甲側薬指部２４を含んでいる。小指袋ｆ５は、収納した小指を装着者の手の甲側から覆う手甲側小指部２５を含んでいる。これらの手甲側親指部２１、手甲側人差指部２２、手甲側中指部２３、手甲側薬指部２４および手甲側小指部２５は、手甲側被覆部２に含まれている。
【００１３】
それぞれの指袋ｆ１〜ｆ５の延びる方向に交差する方向の端部、すなわち手甲側被覆部２とその裏側の装着者の掌側を覆うたとえば人工皮革や合成皮革、天然皮革、合成繊維などにより形成された手掌側被覆部１との境界部には、手掌側被覆部１と手甲側被覆部２とを接続する指接続部ｆｃが形成されている。手甲側親指部２１、手甲側人差指部２２、手甲側中指部２３、手甲側薬指部２４および手甲側小指部２５は、概ね各指袋ｆ１〜ｆ５のうち手甲側被覆部２側において指接続部ｆｃに囲まれる領域（指接続部ｆｃを外縁とする領域）として形成されている。
【００１４】
手甲側被覆部２は、上記の手甲側親指部２１などの他に、手甲側被覆本体部２０と、第１固定部２６と、第２固定部２７とを有している。
【００１５】
手甲側被覆本体部２０は手甲側被覆部２のうち指袋以外の部分、すなわち装着者の指を除く手の甲本体を覆う部分である。手甲側被覆本体部２０は、第１本体部２０Ａと、第２本体部２０Ｂとを有している。第１本体部２０Ａおよび第２本体部２０Ｂは、指袋ｆ１〜ｆ５よりも、装着者の手首側に配置されている。ここで手首側とは、図１の下側すなわち各指袋ｆ１〜ｆ５よりも下側であり、図１での下方にて点線で囲む手首側領域２８が配置される側の方向を意味する。
【００１６】
第１本体部２０Ａは、指袋ｆ１〜ｆ５よりも当該装着者の手首側（すなわち手首側領域２８の配置される側）において、装着者の小指側すなわち手甲側小指部２５の配置される側（図１の左側）に配置されている。また第２本体部２０Ｂは、指袋ｆ１〜ｆ５よりも当該装着者の手首側において、装着者の親指側すなわち手甲側親指部２１の配置される側（図１の右側）に配置されている。言い換えれば第２本体部２０Ｂは第１本体部２０Ａに隣接する位置に配置されている。第１本体部２０Ａと第２本体部２０Ｂとは、両者の間に形成される第１本体部２０Ａと第２本体部２０Ｂとのいずれも配置されない空隙部としてのスリット部３０を介して分離されている。
【００１７】
図３を参照して、たとえば後述するように第１固定部２６が装着者の手を締め付けてはおらずこれが第１本体部２０Ａと重なってはいない状態を考える。この場合、互いに隣り合う第１本体部２０Ａと第２本体部２０Ｂとの間隔に相当するスリット部３０は、手首側領域２８に向かうにつれて広くなっている。このため、第１固定部２６が第１本体部２０Ａに固定されていない状態において装着者が容易に手袋１００内に手を出し入れすることができる。
【００１８】
再度図１および図２（拡大図）を参照して、第１固定部２６は、手甲側被覆本体部２０の表面上に接続されており、図中に矢印で示す第１方向Ｆ１に引っ張ることによりこの方向に装着者の手を締め付け可能な構成を有している。
【００１９】
より具体的には、第１固定部２６は、基本的に手甲側被覆本体部２０などを形成する生地と同一の生地により形成されている。第１固定部２６は、第２本体部２０Ｂのうち図１の右側の領域（手甲側人差指部２２に隣接する領域）において、第１固定部接続部２６Ｃにより第２本体部２０Ｂの表面に接続されている。手袋本体と連結する第１固定部接続部２６Ｃは、ゴムなどの弾性体で形成されてもよい。第１固定部２６は、第１固定部接続部２６Ｃから第１方向Ｆ１に延びている。
【００２０】
ここで第１方向Ｆ１とは、手甲側人差指部２２の付け根から手甲側被覆本体部２０において手甲側被覆部２の手甲側小指部２５側（図１の左側）の側面に向けた、手甲側中指部２３がまっすぐ伸びた状態におけるその延びる方向（図１の上下方向すなわち指袋ｆ１〜ｆ５から手首側領域２８側に向かう方向）に対して斜めの方向である。より具体的には、第１方向Ｆ１は、手甲側人差指部２２側（図１の右側）から手甲側小指部２５側（図１の左側）に向かうにつれて、指袋ｆ１〜ｆ５側（図１の上側）から手首側領域２８側（図１の下側）に向かう斜め方向である。
【００２１】
再度図３を参照して、第１固定部２６の裏側（装着者の手に対向する内側）の面の一部にはマジックテープ（登録商標）などの着脱部材２６Ａが配置され、第１本体部２０Ａの表側（装着者の手と反対側の外側）の面の一部にはマジックテープなどの着脱部材２６Ｂが配置されている。装着者が手を手袋１００内に収納した状態で、第１固定部２６を第１方向Ｆ１に引っ張り、着脱部材２６Ａと着脱部材２６Ｂとを互いに密着固定させる。これにより図１および図２に示すように第１固定部２６は第１本体部２０Ａと部分的に重なりながら上記の第１方向Ｆ１に延び、装着者の手を締め付けるように固定する。また着脱部材２６Ａと着脱部材２６Ｂとは自由に着脱可能になっているため、第１固定部２６は第１本体部２０Ａに対して自由に着脱可能になっている。
【００２２】
再度図１および図２（拡大図）を参照して、次に第２固定部２７は、手甲側被覆本体部２０の表面上に接続されており、図中に矢印で示す第２方向Ｆ２（第１方向Ｆ１とは異なる）に引っ張ることによりこの方向に装着者の手を締め付け可能な構成を有している。
【００２３】
より具体的には、第２固定部２７は、基本的に手甲側被覆本体部２０などを形成する生地と同一の生地により形成されている。図４を参照して、第２固定部２７は、まっすぐ伸びた状態において長尺形状（一の方向に長く延びる形状）を有している。第２固定部２７は、その長尺形状の一方端が、第２本体部２０Ｂのうち図１の比較的右側の領域において、第２固定部接続部２７Ｃにより第２本体部２０Ｂの表面に接続されている。第２固定部２７は、第２固定部接続部２７Ｃから第２方向Ｆ２に延びている。
【００２４】
ここで第２方向Ｆ２とは、手甲側親指部２１の付け根から手甲側被覆本体部２０において手甲側被覆部２の手甲側小指部２５の付け根に向けた、手甲側中指部２３がまっすぐ伸びた状態におけるその延びる方向（図１の上下方向すなわち指袋ｆ１〜ｆ５から手首側領域２８側に向かう方向）に対して斜めの方向である。第２方向Ｆ２は、手甲側親指部２１側（図１の右側）から手甲側小指部２５側（図１の左側）に向かうにつれて、手首側領域２８側（図１の下側）から指袋ｆ１〜ｆ５側（図１の上側）に向かう斜め方向である。
【００２５】
手甲側被覆部２の特に第２本体部２０Ｂには、環状リング３１が固定されている。環状リング３１は真鍮、ステンレス鋼などの金属材料により形成された、中央部に開口部を有する開口部材である。なお環状リング３１は上記の金属材料以外にも、たとえばポリカーボネートなどの硬質なプラスチック材料により形成されていてもよい。また本実施の形態では環状リング３１に代わって、中央部に開口部を有する（たとえばＣ字形状の）部材が用いられてもよい。環状リング３１の開口部は一方向に細長い環状形状を有している。これにより環状リング３１は、当該一方向における開口部の幅を第２固定部２７の幅方向（長手方向に交差する方向）の寸法より大きくすることができる。このため開口部内に第２固定部２７が挿通可能となっている。
【００２６】
環状リング３１は、第２本体部２０Ｂの表側（装着時における外側）の面上の一部に固定されており、特にその細長く延びる方向が第２方向Ｆ２に交差（ほぼ直交）する方向となるように固定されている。
【００２７】
また環状リング３１は第１固定部２６に接続されるように固定されている。具体的には、図１および図２に示すように、第１固定部２６は第１方向Ｆ１に沿って延びる部分と、当該部分から第２固定部２７側に向けて延びる部分とを有している。この第２固定部２７側に向けて延びる部分の端部に、環状リング３１が固定されている。したがって環状リング３１は、第２本体部２０Ｂと第１固定部２６との双方に固定されている。また言い換えれば、この第１固定部２６が第２固定部２７側に向けて延びる部分は、第２固定部２７がスリット部３０に対向する端部（第２固定部２７のうちスリット部３０に隣接する、最も手甲側小指部２５側の領域）である。したがって環状リング３１は、第１固定部２６においてスリット部３０に対向する端部に固定されている。
【００２８】
図１、図２および図４を参照して、第２固定部２７は、第２固定部接続部２７Ｃを支点としてその延在する方向すなわち第２方向Ｆ２に引っ張られる。この第２固定部２７が環状リング３１を挿通する箇所においてその延在方向が反転され、たとえば約１８０°折り返される。これにより、第２固定部２７のうち第２固定部接続部２７Ｃにおいて第２本体部２０Ｂに接続される一方端と反対側の他方端側の領域が、第２本体部２０Ｂの一部と重なることが可能な態様となる。したがって第２固定部２７は、たとえば装着者が手を締め付けるために環状リング３１から上記他方端までの領域を第２方向Ｆ２と反対方向に引っ張った際に、一方端（第２固定部接続部２７Ｃ）から環状リング３１までの領域は第２方向Ｆ２に引っ張られる。つまり第２固定部２７を他方端側へ引っ張れば、第２固定部２７のうち少なくとも一方端（第２固定部接続部２７Ｃ）から環状リング３１までの領域は、第２固定部２７が折り返されているか否かにかかわらず、第２方向Ｆ２に引っ張られる。
【００２９】
再度図４を参照して、第２固定部２７の裏側（まっすぐ伸びた状態にて外側を向く側）の面の一部、すなわち特に上記他方端側の領域にはマジックテープなどの着脱部材２７Ａが配置されている。また第２本体部２０Ｂの表側（装着者の手と反対側の外側）の面のうち第２固定部接続部２７Ｃに隣接する領域（まっすぐ伸びた第２固定部２７の一方端側の延長上の領域）には、マジックテープなどの着脱部材２７Ｂが配置されている。装着者が手を手袋１００内に収納した状態で、第２固定部２７を第２方向Ｆ２に引っ張りながら、第２固定部２７を環状リング３１の箇所にて折り返させる。これにより、第２固定部２７の裏側の他方端側の領域における着脱部材２７Ａと、第２本体部２０Ｂの着脱部材２７Ｂとを互いに密着固定させる。第２固定部２７が一方端側において第２方向Ｆ２に装着者の手を締め付け、かつ環状リング３１から他方端側において折り返され反対方向に引っ張られることにより、装着者の手を締め付け可能な構成を有している。なお着脱部材２７Ａと着脱部材２７Ｂとは自由に着脱可能になっているため、第２固定部２７はその他方端側が第２本体部２０Ｂの一部に自由に着脱可能になっている。
【００３０】
＜作用効果＞
次に、本実施の形態の作用効果について説明する。
【００３１】
本実施の形態の手袋１００は、手甲側被覆部２において、開口部材としての環状リング３１が、第１固定部２６に接続され、かつ第２固定部２７を挿通可能な構成を有している。第１固定部２６は第１方向Ｆ１に、第２固定部２７は第２方向Ｆ２に、それぞれ装着者の手を締め付け可能である。このような構成を有するため、環状リング３１を介して、第１固定部２６と第２固定部２７とが互いに接続された状態となっている。さらに第１固定部２６と第２固定部２７とのそれぞれが装着者の手を締め付ける力を個別に制御することができる。つまりたとえば第１固定部２６を比較的強く、第２固定部２７を比較的弱く締め付けるなどの個別の調整が可能となる。
【００３２】
したがってたとえば単一の固定部のみを用いて締め付け力を調整する場合に比べて装着者はより高い自由度でその手を締め付ける力を制御することができる。このため装着者へのフィット感をより向上させることができる。
【００３３】
環状リング３１が環状形状を有しており、その開口部は閉じられた空間として形成されている。このため開口部内を挿通する第２固定部２７を安定に環状リング３１において折り返すことができる。
【００３４】
また第２固定部２７は第２方向Ｆ２に延びる長尺形状を有し、環状リング３１を挿通する箇所にてその延在方向が折り返される。したがって第２固定部２７は、環状リング３１の開口部を介して折り返された他方端部を引っ張るようにして固定されることで、第１固定部２６のスリット部３０に対向する端部（左右方向における中央部）において、装着者に快適なフィット感を与える程度に強い締め付け力を与えることができる。
【００３５】
第１固定部２６は第１本体部２０Ａに着脱可能であり、第２固定部２７は第２本体部２０Ｂに着脱可能である。したがって第１固定部２６および第２固定部２７は、装着時に装着者の手に快適なフィット感および締め付け力を与えることができるとともに、手袋１００を外すときには着脱部材（マジックテープ）を外すだけで容易に手を手袋１００から抜くことができる。
【００３６】
上記の第１方向Ｆ１と第２方向Ｆ２とは互いに全く異なる方向である。そのため第１方向Ｆ１と第２方向Ｆ２とで締め付け力を適宜調整することで、装着者に快適なフィット感を与える程度に強い締め付け力を与えることができる。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３８】
本発明は、ゴルフなどのスポーツ用の手袋に特に有利に適用される。
【符号の説明】
【００３９】
２  手甲側被覆部、２０  手甲側被覆本体部、２０Ａ  第１本体部、２０Ｂ  第２本体部、２１  手甲側親指部、２２  手甲側人差指部、２３  手甲側中指部、２４  手甲側薬指部、２５  手甲側小指部、２６  第１固定部、２６Ａ，２６Ｂ，２７Ａ，２７Ｂ  着脱部材、２６Ｃ  第１固定部接続部、２７  第２固定部、２７Ｃ  第２固定部接続部、２８  手首側領域、３０  スリット部、３１  環状リング、１００  手袋、ｆ１  親指袋、ｆ２  人差指袋、ｆ３  中指袋、ｆ４  薬指袋、ｆ５  小指袋、ｆｃ  指接続部。
【図１】
0006560100.tif 000002
【図２】
0006560100.tif 000003
【図３】
0006560100.tif 000004
【図４】
0006560100.tif 000005